(57)【特許請求の範囲】
【請求項１】
電源スイッチで運転・停止する交流誘導式のモータで駆動される遠心送風機を有するレンジフードにおいて、前記遠心送風機の回転数をそのモータの主巻線と補助巻線の巻線比率を操作して制御する操作スイッチ部と、前記電源スイッチがＯＮのときで前記操作スイッチ部がＯＦＦの時、前記操作スイッチ部が制御する回転数よりも更に低い回転数で前記遠心送風機を駆動させる送風機制御装置と、この送風機制御装置が動作したとき、点灯する微風換気表示ランプと、を備えたことを特徴とするレンジフード。
【請求項２】
請求項１に記載のレンジフードであって、前記送風機制御装置が、前記遠心送風機のモータの補助コイルのエンドと接続され、電源電圧を降下させる抵抗部と、この抵抗部と直列に接続され、前記電源電圧を入り切りするリレーと、を具備し、前記リレーの磁励コイルの一方が前記操作スイッチ部の接点の負荷側端子に接続され、他方が電源端子に接続され、前記電源電圧が架かるように構成したことを特徴とするレンジフード。
【発明の詳細な説明】
【０００１】
【発明の属する技術分野】
本発明は、家庭の台所等の調理中に排気をするレンジフードに、調理後の微風換気機能を持たせたレンジフードに関するものである。
【０００２】
【従来の技術】
図４に、レンジフードを利用する部屋全体の構成を示す。この図において、１は気密性の高い部屋で、その壁１ａには、レンジフード２が取り付けられている。
また、換気扇４は窓をはさんだ反対側の壁１ｂに設けられている。
一方、レンジフード２の下方には、レンジコンロ５が設けられているので、調理時にはレンジコンロ５から油煙・水蒸気６が発生するため、レンジフード２にて排気する。
【０００３】
また、従来のレンジフード２は図５に示すように、そのフード状の本体２ａの内部に、油分を除去するフィルター１４と、油煙を排出するためのモーター８に直結した静圧特性の強い遠心ファン９と、油煙等を誘導するファンケーシング１０とを有し、また、本体２ａの外部には、排気用ダクトと接続ためのダクト接続口１１と、モーター８停止時に外気の進入を防止するシャッター１２と、排気風量を調整できる操作スイッチ１５と、を有している。
【０００４】
上記のように構成された従来のレンジフード２においては、操作スイッチ１５を操作して、遠心ファン９を回転させ、調理時に発生するレンジコンロ５からの油や水蒸気６を排気する。また、調理しない時は換気扇４を運転して部屋全体の湿気、臭気等の排気を行うが、誤って調理時に、一般的に静圧特性は弱いが大風量を送風する軸流送風機を搭載している換気扇４を運転してしまうと、特に、静圧値が低い時、即ち、外気が換気扇４に向かって吹き込まない時は、レンジコンロ５からの油や水蒸気６の一部は換気扇４に吸い込まれるため、即ち、換気扇４方向に進むため、室内を汚すことになる。
【０００５】
また、外気が換気扇４に向かって吹き込んだ時は、即ち静圧値が高い時は、換気扇４の換気能力が低下するため、台所の換気が充分に行われず、湿気、臭気等が台所内に充満していた。
【０００６】
また、従来のレンジフード２の操作スイッチ１５を操作して最少風量にセットしても、その機能目的から、図３に示すように、このレンジフード用送風機モータの回路は、主コイル３１ａ〜３１ｃと、この主コイル３１ｃに直列接続した移相用補助コイル３２と、これらのコイル３１、３２に接続した各リード線３４ａ〜３４ｄと、主コイル３１ａから移相用補助コイル３２までの回路と並列に接続されたコンデンサー３３とから構成されており、また、各リード３４ａ〜３４ｄが接続したコネクター３６の先端には、接続用の端子が設けられ、この設けられた端子には操作スイッチ１５が接続され、この操作スイッチ１５に接続したリード線と主コイル３１ａに接続したリード線３４ａとの間に電圧が架かるように、電源が接続されている。
また、主コイル３１のリード線３４ｂとグランド間には、抵抗２７が接続されている。
【０００７】
従って、操作スイッチ１５を操作することにより、主コイルと補助コイルとの巻線比が変わるため、モータの回転数が変わり、羽根の回転数が変わるので、送風量が変わる。
なお、この構成で、送風量を低く押さえようとしてモーターの回転数をより低くするために、主コイルと補助コイルとの巻線比を更に大きくしようとすると、主コイルの巻線数を多くしなければならないため、即ち巻線長さが長くなるため、線輪容量が大きくなりモーターが大きくなる。
【０００８】
【発明が解決しようとする課題】
以上説明したとおり、従来のレンジフードでは、換気機能を有していないため、換気扇が必要であったり、また、外気の風向が換気扇の換気能力を低下させていない調理時には煙や水蒸気の一部が換気扇の方向に向かうため、それにより室内を汚染したり、腐蝕などによって室内を傷めたりする。
また、外気の風向きによって、換気扇の換気送風量が低下するため、湿気、臭気が排出され難いという問題があった。
また、住宅の高層化・高気密化とともに、換気扇の換気能力が高い時は、一部分から集中的にすき間風を呼びこんで足元を寒くしたり、また室内外圧力差が大きくなるため、ドアや窓を開けにくくする等の問題点があった。
また、換気扇による大風量換気では、消費電力が多くなり、経済的でないという問題があった。
【０００９】
また、従来のレンジフードに、住宅の高気密化を考慮して微風換気機能を持たせようとした時、主コイルの巻線数を多くしなければならないので、モーターが大きくなり、レンジフードが大きくなるという問題があった。
また、主コイルと補助コイルとの巻線比を大きくしなければならないため、モータの磁気音が高くなり、レンジフードから不快な音が出るという問題があった。
【００１０】
本発明は、以上のような課題を解決するためになされたもので、特に、住宅の高層化・高気密化に対応して室内を常に快適に維持しながら、多機能化された経済的で信頼性の高いレンジフードを提供することを目的とする。
【００１１】
また、モータの主コイルと補助コイルとの巻線数を変えることなく、既存のレンジフードにも利用できるモータの磁気音を低く抑えた使い勝手が良く、信頼性の高いレンジフードの送風機回路部を提供することを目的とする。
【００１２】
【課題を解決するための手段】
電源スイッチで運転・停止する交流誘導式のモータで駆動される遠心送風機を有するレンジフードにおいて、前記遠心送風機の回転数をそのモータの主巻線と補助巻線の巻線比率を操作して制御する操作スイッチ部と、前記電源スイッチがＯＮのときで前記操作スイッチ部がＯＦＦの時、前記操作スイッチ部が制御する回転数よりも更に低い回転数で前記遠心送風機を駆動させる送風機制御装置と、この送風機制御装置が動作したとき、点灯する微風換気表示ランプと、を備えたものである。
【００１５】
また、前記送風機制御装置が、前記遠心送風機のモータの補助コイルのエンドと接続され、電源電圧を降下させる抵抗部と、この抵抗部と直列に接続され、前記電源電圧を入り切りするリレーと、を具備し、前記リレーの磁励コイルの一方が前記操作スイッチ部の接点の負荷側端子に接続され、他方が電源端子に接続され、前記電源電圧が架かるようにしたものである。
【００１６】
【発明の実施の形態】
実施の形態１．
図２は、本実施の形態１におけるレンジフードの構成図であり、この図において２０はレンジフードであり、このレンジフード２０は、従来技術の図５で説明した２ａ、８ａ、９、１０、１１、１２及び１４の他に、送風機制御装置１６と、電源スイッチ１７と、微風換気表示ランプ１８が組み込まれている。
なお、送風機制御装置１６は通常レンジフード運転風量（接点１５ｂＯＮ時の風量）の約１０％にした微風換気モード運転を行うもので、微風換気時風量、即ち微風換気時の遠心ファンの回転数を決定するファンモータの抵抗２２、及びファンモータの抵抗２２と直列に接続されたリレー２３を有し、本体２ａ内部のフィルター１４の内側の風下側に設けられている。
また、電源スイッチ１７は電源をＯＦＦしてモーターを停止させるもので、制御回路部１６近傍に設けられている。
また、微風換気表示ランプ１８は微風換気モード運転時に点灯し、換気していることを知らせるもので、レンジフード本体２ａの前面に設けられている。
【００１７】
また、図１は実施の形態１における制御回路部１６の回路構成図である。
この図に示されるように、コネクター３８は電源コードを接続するもので、コネクター３８には交流電源をＯＮ、ＯＦＦする電源スイッチ１７が接続されており、また、リレー２３は遠心ファンモーターの抵抗２２へ電源を供給したり、しなかったりするもので、その接続接点端子の一方２３ｂは抵抗２２に接続し、他方は電源スイッチ１７と接続している。
また、遠心ファンモーターの抵抗２２は、図３に示したように、交流誘導式のモーター８の補助コイル３２のエンドと配線により２５部分で接続され、微風換気運転時、即ち、操作スイッチ１５の各接点ＯＦＦ時におけるモーター供給電圧を制限するものである。
【００１８】
また、微風換気表示ランプ１８は清掃時等における電源スイッチ１７の切り忘れを防ぐために、レンジフード本体２ａ前面の見易い場所に取り付けられ、換気運転中であることを知らせるために、リレー２３回路と並列に接続されている。また、操作スイッチ１５は、その各スイッチ接点端子（１５ａ〜１５ｃ）の一方は電源スイッチ１７と、また他方はモータの各コイル端子（３４ｄ〜３４ｂ）と接続されていると共に、リレー２３の磁励コイルと接続されている。また、このスイッチ１５を操作することにより、接点１５ａ〜１５ｃのいずれか１つが接続されるか、あるいは、いずれも接続されないかの４段階の操作ができるようになっている。
なお、操作スイッチ１５に接続したリード線と主コイル３１ａに接続したリード線３４ａとの間に電圧が架かるように、電源スイッチ１７を介して電源に接続されている。
【００１９】
次に、上記の構成における動作について説明する。
電源スイッチ１７が投入され、操作スイッチ１５が操作され、全ての接点１５ａ〜１５ｃの接続が離れるように操作されると、リレー２３の磁励コイル２１に電圧が架からなくなるため、リレー２３の逆接点２３が閉じ、接続されるので、主コイル３１から移相用補助コイル３２を介したファンモーター抵抗２２間に電圧が架かるため、ファンモータは駆動（回転）する。
なお、この時、回転数に寄与する主コイル３１から移相用補助コイル３２までの間に架かる電圧は、電源電圧からファンモーター抵抗２２で消費された電圧を引いた電圧となる。即ち、通常レンジフード運転風量の約１０％に相当した風量を出力する回転数を維持する電圧になる。
なお、この時、リレー２３の接点回路と並列に接続された微風運転確認ランプ２４にも、電圧が架かるので、点灯する。
【００２０】
次に、操作スイッチ１５が操作され、接点１５ａ〜１５ｃのいずれかが接続されると、リレー２３の磁励コイル２１に電圧が架かるため、リレー２３の逆接点２３が開いて、接続されなくなるので、微風換気運転モードは解除され、通常のレンジフード運転のいずれかになる。
また、この時、リレー２３の接点回路と並列に接続された微風換気表示ランプ２４にも、電圧が架からなくなるので、消灯する。
【００２１】
なお、以上の説明では、操作スイッチ１５が４段階の操作で構成されている時の説明をしたが、２段階の操作、即ち、操作スイッチ１５の接点が１つで、その接点がＯＮの時はレンジフード運転、ＯＦＦの時は微風換気運転になるものでも良い。
【００２２】
また、清掃時等において、送風機の駆動を停止しなければならない時には、特に、送風機の駆動有無が判別しにくい微風換気において、微風換気表示ランプ１８を点灯させ、電源スイッチ１７の切り忘れを防いでいる。
なお、微風換気表示ランプ１８とは別に、電源スイッチ１７に電源ランプ（図示せず）を並列に設け、表示するようにしても良い。
【００２３】
上記送風機制御装置を前述のように構成にしたので、モータの磁気音が低く、静かな微風換気運転をさせるレンジフードの送風機制御装置が得られる。
また、この送風機制御装置は、既存のレンジフードの遠心送風機にも、モーターを分解することなく、簡単に取り付けられるので、使い勝手の良いレンジフードの送風機制御装置が得られる。
【００２４】
以上説明したように本発明のレンジフードは、調理中には操作スイッチ１５を操作して、その調理に必要な排気風量で運転し、調理が終わって操作スイッチ１５をＯＦＦすると、微風換気運転になり、しかも、この換気運転は静圧特性の良い遠心送風機で微風換気を実施しているので、特に、住宅の高層化・高気密化に対応して室内を常に快適に維持しながら、多機能化された経済的で信頼性の高いレンジフードが得られる。
【００２５】
また、微風運転中は微風換気表示ランプが点灯して運転中であることが目で容易に確認できるようにしているので、サービス時の安全性が確保され、信頼性が高く、使い勝手の良いレンジフードが得られる。
【００２６】
また、電源スイッチを設けたので、清掃時等に電源スイッチを切ることにより、サービス時の安全性が更に確実に確保され、信頼性が高く、使い勝手の良いレンジフードが得られる。
【００２７】
【発明の効果】
本発明においては、以上説明したように構成されているので、以下のような効果を奏する。
【００２８】
以上説明したように本発明のレンジフードは、調理中には操作スイッチ１５を操作して、その調理に必要な排気風量で運転し、調理が終わって操作スイッチ１５をＯＦＦすると、微風換気運転になり、しかも、この換気運転は静圧特性の良い遠心送風機で微風換気を実施しているので、特に、住宅の高層化・高気密化に対応して室内を常に快適に維持しながら、多機能化された経済的で信頼性の高いレンジフードが得られる。そして、微風運転中は微風換気表示ランプが点灯して運転中であることが目で容易に確認できるようにしているので、サービス時の安全性が確保され、信頼性が高く、電源スイッチで運転・停止されるので使い勝手も良い。
【００３２】
また、送風機制御装置は、遠心送風機のモータの補助コイルのエンドと接続され、電源電圧を降下させる抵抗部と、この抵抗部と直列に接続され、前記電源電圧を入り切りするリレーとで構成したので、モータの磁気音を低くし、また、既存のレンジフードの遠心送風機にも、モーターを分解することなく、簡単に取り付けられる使い勝手の良いレンジフードが得られる。
【図面の簡単な説明】
【図１】  この発明の実施の形態１におけるレンジフードの送風機の回転数を制御するレンジフードの送風機制御回路図である。
【図２】  この発明の実施の形態１におけるレンジフードの構成図である。
【図３】  従来のレンジフードの送風機の回転数を制御するレンジフードの送風機制御回路図である。
【図４】  従来の台所に設置されたレンジフードと換気扇の概略配置図である。
【図５】  従来のレンジフードの構成図である。
【符号の説明】
１  室  、  ４  換気扇、  ５  レンジコンロ、  ８  モーター、  １０  ファンケーシング、  １５  操作スイッチ、  １５ａ〜ｃ  接点、  １６送風機制御装置、  １７  電源スイッチ、  １８  微風換気表示ランプ、  ２１リレーの磁励コイル、  ２、２０  レンジフード、  ２２、２７  抵抗、  ２３  リレー。
【図１】
0003747549.tif 000002
【図２】
0003747549.tif 000003
【図３】
0003747549.tif 000004
【図４】
0003747549.tif 000005
【図５】
0003747549.tif 000006